(57)【要約】【課題】  天井と壁面との衛生設備室四隅の連結部分に十分な止水性を確保することができると共に、天井の壁面への固定作業の作業性向上を図り得る衛生設備室の天井構造を提供する。【解決手段】  衛生設備室の各壁面上端部に、両端に嵌合部を有するレール部材をそれぞれ固定すると共に、連結される壁面の隣接するレール部材の嵌合部に連結部材の嵌合部をそれぞれ嵌合させて各レール部材の端部を連結し、該レール部材の上面に天井の外周縁端部を固定する。前記連結部材は、一対の嵌合部の弾性力を利用して隣接するレール部材の嵌合部に密に嵌合される。【選択図】  図２
2005139814.tif 000002
【特許請求の範囲】
【請求項１】
衛生設備室の各壁面上端部に、両端に嵌合部を有するレール部材をそれぞれ固定すると共に、連結される壁面の隣接するレール部材の嵌合部に連結部材の嵌合部をそれぞれ嵌合させて各レール部材の端部を連結し、該レール部材の上面に天井の外周縁端部を固定したことを特徴とする衛生設備室の天井構造。
【請求項２】
前記連結部材は、一対の嵌合部がその弾性力を利用して隣接するレール部材の嵌合部に密に嵌合されることを特徴とする請求項１に記載の衛生設備室の天井構造。
【請求項３】
前記連結部材は、隣接する壁面端部を上下方向に連結する壁面連結部材の上端部に係合可能な係合部を有することを特徴とする請求項１または２に記載の衛生設備室の天井構造。
【請求項４】
前記レール部材は、室内側に開口するカバー装着溝を有し、該カバー装着溝の底部側に前記嵌合部が設けられていることを特徴とする請求項１ないし３のいずれかに記載の衛生設備室の天井構造。
【請求項５】
前記嵌合部は、カバー装着溝を形成する上面壁と下面壁の所定位置に内側に突出する如く一体形成された突条を有することを特徴とする請求項４に記載の衛生設備室の天井構造。
【発明の詳細な説明】
【技術分野】
【０００１】
本発明は、例えば浴室等の衛生設備室の壁面上端部に天井を取り付けるための衛生設備室の天井構造に関する。
【背景技術】
【０００２】
従来、システムバスルームやシャワールーム等の衛生設備室の場合、壁面を形成する壁パネルの上端部に、天井としてのドーム形状や平板形状の天井パネルが取り付けられており、この天井パネルの壁パネルへの取付構造としては、例えば特許文献１及び特許文献２に開示されている。特許文献１に開示の取付構造は、天井パネルに設けたフレームの垂下片と壁パネルの上端部に設けたフレームの立ち上がり片とを、天井パネルに固定した天井廻し縁とこの天井廻し縁に係合可能な天井廻し縁受けを利用してネジで連結固定するようにしたものである。
【０００３】
また、特許文献２に開示の取付構造は、壁パネルの上端に廻り縁体を嵌着して該廻り縁体を壁パネルの上端表面側に突出させ、同廻り縁体上に天井パネルの周縁を係止して、該天井パネルの周囲を回り縁体を介して壁パネルの上端部に係合させることで、天井パネルと壁パネルを連結固定するようにしたものである。
【特許文献１】特開平６−１４６５６６号公報
【特許文献２】特開平７−１０５２０号公報
【発明の開示】
【発明が解決しようとする課題】
【０００４】
しかしながら、これらの取付構造においては、４つの壁面を構成する各壁パネル同士の接合隅部で天井パネルとの連結部において、施工現場（躯体等）の寸法バラツキあるいは天井パネルや壁パネル等の部材の寸法バラツキ等によって、隙間が発生し易い。その結果、四隅の天井パネルと各壁パネルとの連結部分にシャワーの水等が飛散した場合に、水滴等が衛生設備室内から衛生設備室外に漏出する虞があり、四隅の連結部分に十分な止水性を確保することが困難であるという問題点を有している。そこで、このような問題点を解決するために、天井廻し縁や廻り縁体を密着させてシーリングする等の構造も考えられるが、この場合は施工作業性が極めて劣るという問題点を有している。
【０００５】
本発明は、このような事情に鑑みてなされたもので、その目的は、天井と壁面との四隅の連結部分に十分な止水性を確保することができると共に、天井の壁面への固定作業の作業性の向上を図り得る衛生設備室の天井構造を提供することにある。
【課題を解決するための手段】
【０００６】
かかる目的を達成すべく、本発明のうち請求項１に記載の発明は、衛生設備室の各壁面上端部に、両端に嵌合部を有するレール部材をそれぞれ固定すると共に、連結される壁面の隣接するレール部材の嵌合部に連結部材の嵌合部をそれぞれ嵌合させて各レール部材の端部を連結し、該レール部材の上面に天井の外周縁端部を固定したことを特徴とする。このように構成することにより、衛生設備室の天井は、壁面の上端部に固定されたレール部材の上面に固定され、この時、各壁面のレール部材は、その端部の嵌合部に連結部材の嵌合部が嵌合した状態で連結され、壁面と天井の四隅の連結部分における止水性が連結部材によって確保される。
【０００７】
そして、前記連結部材は、請求項２に記載の発明のように、一対の嵌合部がその弾性力を利用して隣接するレール部材の嵌合部に密に嵌合されることが好ましく、また、請求項３に記載の発明のように、隣接する壁面端部を連結する壁面連結部材の上端部に係合可能な係合部を有することが好ましい。
【０００８】
また、前記レール部材は、請求項４に記載の発明のように、室内側に開口するカバー装着溝を有し、該カバー装着溝の底部側に前記嵌合部が設けられていることが好ましく、この場合、前記嵌合部は、請求項５に記載の発明のように、カバー装着溝を形成する上面壁と下面壁の所定位置に内側に突出する如く一体形成された突条を有することが好ましい。
【発明の効果】
【０００９】
本発明の請求項１に記載の発明によれば、上面に天井が固定される壁面のレール部材の嵌合部に、連結部材の嵌合部がそれぞれ嵌合されて各壁面が連結されるため、連結部材により隣接するレール部材間に形成される隙間が閉塞されて、壁面と天井の四隅の連結部分に十分な止水性を確保することができると共に、連結部材の嵌合部を各レール部材の嵌合部に嵌合することにより連結と止水ができて、施工作業が簡単となって作業性の向上を図ることができる。
【００１０】
また、請求項２に記載の発明によれば、請求項１に記載の発明の効果に加え、連結部材の一対の嵌合部が、その弾性力を利用してレール部材の嵌合部に密に嵌合されるため、連結部材のレール部材への嵌合が簡単かつ良好に行えると共に、密に嵌合された連結部材によって、四隅の連結部分における止水性を確実に確保することができる。
【００１１】
また、請求項３に記載の発明によれば、請求項１または２に記載の発明の効果に加え、連結部材の係合部が、隣接する壁面端部を上下方向に連結する壁面連結部材の上端部に係合可能であるため、係合部の壁面連結部材への係合で連結部材の各壁面に対する移動が規制され、連結部材を所定位置に確実に位置させて、四隅の連結部分における止水性を一層確実に確保することができる。
【００１２】
また、請求項４に記載の発明によれば、請求項１ないし３に記載の発明の効果に加え、レール部材がカバー装着溝を有し、該カバー装着溝の底部側に嵌合部が設けられているため、レール部材のカバー装着溝を有効利用して嵌合部を形成でき、レール部材の構成の簡略化を図ることができると共に、両端部の嵌合部に連結部材の嵌合部を確実に嵌合させることができる。
【００１３】
また、請求項５に記載の発明によれば、請求項４に記載の発明の効果に加え、レール部材の嵌合部が、カバー装着溝を形成する上面壁と下面壁の所定位置に内側に突出する如く一体形成された突条を有するため、リブとして機能する突条により上面壁や下面壁の剛性を高めつつ、嵌合部を簡単な構造で形成することができる。
【発明を実施するための最良の形態】
【００１４】
以下、本発明を実施するための最良の形態を図面に基づいて詳細に説明する。
図１〜図６は、本発明に係わる衛生設備室としての浴室の天井構造の一実施形態を示し、図１がその浴室四隅部分を示す斜視図、図２がその分解斜視図、図３及び図４が連結部材の平面図及び底面図、図５及び図６が取付状態の説明図である。
【００１５】
図１において、浴室壁面を形成する４枚（図では２枚を示す）の壁パネル２の上端面２ａには、レール部材３がそれぞれ固定されている。このレール部材３は、例えばアルミニウムの押出し成形や樹脂成形によって、壁パネル２の左右幅と略同一長さの長尺状に形成され、壁パネル２の上端面２ａに固定される固定部３ａと、この固定部３ａの室内側に一体形成された断面略コ字状のカバー装着部３ｂ等を有している。
【００１６】
前記カバー装着部３ｂは、室内側の先端部が下方もしくは上方に所定長さ突出した上面壁４ａと下面壁４ｂを有し、この上面壁４ａと下面壁４ｂの先端部間にはスリット状のカバー装着溝４が形成されている。また、カバー装着部３ｂの上面壁４ａと下面壁４ｂの底部側には、下方もしくは上方に突出した所定長さのリブ状の突条５ａ、５ｂが形成され、この上下の突条５ａ、５ｂの後方側（底面側）に形成される断面略コ字状の空間により、連結部材６が後述する如く嵌合する嵌合部５が形成されている。
【００１７】
このように構成されたレール部材３は、直交状態で隣接する壁パネル２の上端面２ａに、その固定部３ａを図示しない取付孔からネジでねじ込むことにより、上端面２ａの全長に亘って固定されている。そして、浴室の壁パネル２と天井パネル１の連結部分（接合部分）としての浴室四隅となる隣接する壁パネル２のレール部材３は、その両端部の嵌合部５が連結部材６の嵌合によって連結されている。
【００１８】
すなわち、連結部材６は、図２〜図４に示すように、例えばゴム、軟質樹脂等の所定の弾性力を備えた弾性材によって形成され、平面視で略三角形状の連結基部６ａと、この連結基部６ａの９０度直交する両側面に垂直状態で所定長さ立設された一対の嵌合部６ｂ、６ｃを有している。この連結部材６の連結基部６ａは、その高さがレール部材３の高さと同一かもしくは所定寸法高く設定され、嵌合部６ｂ、６ｃは、その幅と高さが前記レール部材３の嵌合部５にその弾性力を利用して密に嵌合し得る寸法に設定されると共に、その長さがレール部材３の嵌合部５に所定長さ進入することにより、隣接するレール部材３の端部間を水密性を有して連結し得るように設定されている。
【００１９】
また、連結部材６の連結基部６ａの底面には、パネル連結部材係合部６ｄが下方に突出する状態で一体形成され、このパネル連結部材係合部６ｄの係合溝７が、壁パネル２を連結するアルミレール等で形成されたパネル連結部材８のリブ８ａ（図２参照）にその上面側から係合するようになっている。なお、このパネル連結部材係合部６ｄの形成位置や係合溝７の形状は、パネル連結部材８の形状（リブ８ａの位置等）に応じて適宜に変更することができる。
【００２０】
次に、前記レール部材３と連結部材６を使用した天井パネル１と壁パネル２の組み付け方法の一例について説明する。先ず、前述したようにレール部材３を各壁パネル２の上端面２ａに固定し、この各壁パネル２の左右幅方向の端面の高さ方向の全域を図２に示すパネル連結部材８で連結する。これにより、壁パネル２が浴室の図示しない防水パンの外周縁上に立設状態で配置され、この状態で、隣接する壁パネル２のレール部材３の端面間を連結部材６で連結する。
【００２１】
この時、連結部材６は、その一対の嵌合部６ｂ、６ｃを図２の矢印イ、ロの如く、各レール部材３の嵌合部５に嵌合させ、連結基部６ａの側面をレール部材３の端面にそれぞれ当接させると共に、下面に設けたパネル連結部材係合部６ｄの係合溝７を矢印ハの如くパネル連結部材８のリブ８ａに上方から係合させる。これにより、レール部材３は、図５（ａ）に示す状態から図５（ｂ）に示す状態となって、その嵌合部５に連結部材６の嵌合部６ｂ、６ｃが嵌合した状態となり、この時、嵌合部６ｂ、６ｃの前方のカバー装着部３ｂのカバー装着溝４は開放された状態を維持している。また、連結部材６のパネル連結部材係合部６ｄは、図６（ａ）に示す状態から図６（ｂ）に示す状態となって、その係合溝７内にパネル連結部材８のリブ８ａが係合した状態となる。
【００２２】
なお、連結部材６の嵌合部６ｂ、６ｃのレール部材３の嵌合部５への嵌合及び連結部材６の係合溝７のパネル連結部材８のリブ８ａへの係合は、弾性材で形成された連結部材６の弾性力を利用し、例えば嵌合部６ｂ、６ｃを弾性変形させる等して行われ、レール部材３への嵌合やパネル連結部材８への係合がスムーズに行えることになる。
【００２３】
そして、連結部材６でレール部材３の端面が連結されると、９０度直交する方向に隣接するレール部材３の端面間に形成される空間９（図１及び２参照）が、連結部材６で閉塞された状態となり、この時、連結基部６ａの両側面の各レール部材３の端面への当接及び嵌合部６ｂ、６ｃのレール部材３の嵌合部５内面への密な嵌合により、連結部材６で前記空間９の止水性が確保されることになる。また、パネル連結部材係合部６ｄの係合溝７のパネル連結部材８への係合により、連結部材６とパネル連結部材８の位置決めが可能となり、連結部材８が前記空間９内でずれる（移動する）こともなく、止水効果が得られる所望位置に維持されることになる。
【００２４】
この連結部材６によりレール部材３間に止水性を確保した状態で、図１に示すように、レール部材３の上面側に、ドーム形状もしくは平板形状の天井パネル１の外周縁端部が載置されて、例えばレール部材３にネジ固定すること等により、壁パネル２の上端部に天井パネル１が組み付け配置される。そして、壁パネル２の上端面２ａにレール部材３と連結部材６を介して天井パネル１を組み付けた後に、室内側に露見しているレール部材３のカバー装着溝４に、図１の矢印ニに示すようにカバー１０を装着すると共に、室内側の壁パネル２の高さ方向に形成される目地部分に目地カバー１１を装着する。
【００２５】
この時、カバー１０は、例えばゴム等の弾性材で成形され、レール部材３の上下方向の幅と略同一幅を有するカバー部１０ａと、このカバー部１０ａの裏面側に一体形成され内部に空洞部１４が形成された係合突条１０ｂ等を有している。そして、カバー１０の係合突条１０ｂをレール部材３のカバー装着溝４に前方（室内側）から押し込み、係合突条１０ｂの上下の係止部１５をカバー装着溝４に係止させることにより、カバー１０がレール部材３に装着されて浴室の壁パネル２と天井パネル１の連結部分に配置されるようになっている。また、カバー１０は、壁パネル２の左右の幅より所定寸法長く設定され、その両端部を弾性変形させつつレール部材３のカバー装着溝４に押し込むことにより、隣接するカバー１０の端部間の隙間発生が防止されるようになっている。
【００２６】
このように、上記実施形態の壁パネル２の上部に配置される天井構造にあっては、壁パネル２の上端面２ａと天井パネル１の外周縁部とを連結するレール部材３の開口する両端部が、連結部材６の嵌合作用によって連結されているため、レール部材３を直交方向に連結する際に必然的に形成される両レール部材３間の空間９を連結部材６で塞ぐことができる。特に、連結部材６がゴム等の弾性材で形成され、その嵌合部６ｂ、６ｃの弾性変形を利用してレール部材３の嵌合部５に嵌合されることから、連結部材６の嵌合部６ｂ、６ｃをレール部材３の嵌合部５に密に（水密性を有して）嵌合でき、これらにより、浴室の壁パネル２と天井パネル１の四隅上部から浴室外に水滴や蒸気が漏出すること等がなくなり、四隅上部に従来では得られなかった十分な止水性を確保することが可能となる。
【００２７】
また、レール部材３のカバー装着部３ｂの底部側に突条５ａ、５ｂを設けることにより、連結部材６の嵌合部６ｂ、６ｃが嵌合し得る嵌合部５が形成されているため、カバー装着部３ｂ内の空間の有効利用を図りつつ簡易な構成で嵌合部５を形成できると共に、突条５ａ、５ｂがリブとして機能し、カバー装着部３ｂの上面壁４ａや下面壁４ｂの剛性アップが図れ、壁パネル２への固定強度の向上や天井パネル１の安定した支持が可能となる。
【００２８】
さらに、連結部材６の下面にパネル連結部材係合部６ｄが設けられているため、その係合溝７を２枚の壁パネル２を連結するパネル連結部材８のリブ８ａに係合させることができて、四隅上部の空間９内における連結部材６の位置決めが簡単かつ確実に行えると共に、連結部材６の空間９内での移動が規制され、連結部材６によりレール部材３の安定した連結構造が得られて、浴室の四隅上部の空間９における止水効果を長期に亘り安定して維持することが可能となる。
【００２９】
また、連結部材６が弾性材で形成されているため、その嵌合部６ｂ、６ｃの弾性力を利用してレール部材３の嵌合部５に容易に嵌合（取り付け）でき、特に、嵌合部６ｂ、６ｃが所定長さの角柱状に形成されていることから、その弾性変形を利用しつつ嵌合できて、連結部材６のレール部材３等への取付作業性を向上させることができる。また、連結部材６の係合溝７を上方からパネル連結部材８のリブ８ａに係合させることで両部材６、８を係合できて、その係合作業が容易に行え、これらにより、壁パネル２と天井パネル１の組付作業を容易に行うことが可能となる。
【００３０】
また、連結部材６により止水性が確保されると共に、カバー１０の両端部がその変形を利用しつつ互いに接合されてカバー１０間の隙間発生が確実に防止されるため、浴室の四隅上部の止水構造を簡略化しつつ一層確実な止水効果が得られ、例えば止水性維持のためのシール作業等が不要もしくは大幅に削減できる等、天井パネル６の設置作業の容易化と設置コストの低減化を図ること等も可能となる。
【００３１】
図７は、前記レール部材３の変形例を示している。以下、上記例と同一部位には、同一符号を付して説明する。この例のレール部材３の特徴は、レール部材３のカバー装着部３ｂの形状を、例えば天井パネル１やカバー１０の組付性等を考慮して上記実施形態と異なるように形成した点にある。すなわち、レール部材３のカバー装着部３ｂのカバー装着溝４を形成する上面壁４ａや下面壁４ｂの先端部を後方側に傾斜させて、カバー１０の係合突条１０ｂを嵌め込み易くすると共に、嵌合部５を形成する上下の突条５ａ、５ｂのうち、下部の突条５ｂの高さを高くし上部の突条５ａの高さを低く設定する。また、カバー装着部３ｂの底部の後面に傾斜面１２を形成し、この傾斜面１２にドーム形状の天井パネル１の外周縁部の傾斜面を当接状態とさせる。
【００３２】
なお、連結部材６の嵌合部６ｂ、６ｃの断面形状は、レール部材３の嵌合部５の形状に対応するように形成され、レール部材３の固定部３ａやカバー装着部３ｂの壁パネル２や天井パネル１への固定部位には、固定ネジの位置決め用の溝１６がそれぞれ形成されている。また、レール部材３のカバー装着部３ｂに嵌合されるカバー１０は、図の二点鎖線で示すように、その上下に、組み付け配置された天井パネル１や壁パネル２の表面に弾性変形しつつ当接することで、レール部材３との連結部を隠す当接片１０ｃ、１０ｄが一体形成されると共に、カバー部１０ａの前面下部に、前方に突出して天井パネル１の表面に結露した水滴等を所定の隅部の壁パネル２に流す樋１３が一体形成されている。
【００３３】
この例の天井構造においても、レール部材３の嵌合部５に連結部材６の嵌合部６ｂ、６ｃが密に嵌合することから、浴室の四隅上部に上記例と同様の止水効果が得られる他に、上面壁４ａや下面壁４ｂの形状によりカバー１０の装着作業性を向上させたり、傾斜面１２によりドーム型の天井パネル１の支持を一層安定させることができるという作用効果が得られる。また、カバー１０への当接片１０ｃ、１０ｄの一体形成により、天井パネル１と壁パネル２の連結部分における意匠性（見栄え）の向上が図れると共に、樋１３の一体形成により、天井パネル１の表面に生成される結露等の水滴を、例えば浴槽の蓋置き凹部部分に誘導落下させることができ、浴槽内への水滴の流れ込み等が防止されて快適な入浴が可能になる等の作用効果が得られる。
【００３４】
このように、前記レール部材３の形状や連結部材６の形状等は、天井パネル１の形態等に応じて適宜に変更でき、要は、両端部に嵌合部５を有するレール部材３と、このレール部材３の嵌合部５に嵌合してレール部材３の端部間に所定の止水性を確保し得る適宜の構成を採用することができる。また、上記実施形態における、カバー１０の構造やレール部材３への天井パネル１の固定構造等も一例であって、本発明の各発明に係わる要旨を逸脱しない範囲において適宜に変更することができる。
【産業上の利用可能性】
【００３５】
本発明は、システムバスルーム等の浴槽を備えた浴室に限らず、例えばシャワールームやサウナルーム等の主に止水性が要求される衛生設備室の天井構造にも適用できる。
【図面の簡単な説明】
【００３６】
【図１】本発明に係わる天井構造を採用した浴室隅部の斜視図
【図２】同その分解斜視図
【図３】同連結部材の平面図
【図４】同連結部材の底面図
【図５】同連結部材のレール部材への取付状態を示す説明図
【図６】同連結部材の壁パネル連結部材への取付状態を示す説明図
【図７】同レール部材の変形例を示す断面図
【符号の説明】
【００３７】
１・・・天井パネル、２・・・壁パネル、３・・・レール部材、３ａ・・・固定部、３ｂ・・・カバー装着部、４・・・カバー装着溝、４ａ・・・上面壁、４ｂ・・・下面壁、５・・・嵌合部、５ａ、５ｂ・・突条、６・・・連結部材、６ａ・・・連結基部、６ｂ、６ｃ・・・嵌合部、６ｄ・・・パネル連結部材係合部、７・・・係合溝、８・・・パネル連結部材、８ａ・・・リブ、９・・・空間、１０・・・カバー、１０ａ・・・カバー部、１０ｂ・・・係合突条、１１・・・目地カバー、１２・・・傾斜面、１３・・・樋、１４・・・空洞部、１５・・・係止部  
【図１】
2005139814.tif 000003
【図２】
2005139814.tif 000004
【図３】
2005139814.tif 000005
【図４】
2005139814.tif 000006
【図５】
2005139814.tif 000007
【図６】
2005139814.tif 000008
【図７】
2005139814.tif 000009